(57)【要約】【課題】  ドライバー等の工具を必要としないで簡単に取り付けることができる配線ダクトレールの取付装置を提供する。【解決手段】  アダプタ３を取付具４の嵌入孔２０に嵌入し、アダプタ３の一対の係止部材９，１０に取付具４を係止させる。取付具４は、外周部の複数箇所に配線ダクトレール５の取付用ネジ２４が突設され、配線ダクトレール５は、取付具４の外周部に対して装着されるダクトレール本体２５の複数箇所に配線ダクトレール５の取付用ネジ２４を挿通する取付孔２７が設けられ、取付具４の取付用ネジ２４に螺合される取付ナット２８を備える。取付用ネジ２４に取付ナット２８で締め付け固定し、取付具４に対して配線ダクトレール５を取り付ける。【選択図】          図１
2006004775.tif 000002
【特許請求の範囲】
【請求項１】
天井に固着されたシーリングローゼットの下面に着脱自在に係止されるアダプタ本体の周面に径方向に出没自在に、かつ突出方向に付勢された一対の係止部材を備えたアダプタと、前記アダプタを嵌入する嵌入孔を有し、前記アダプタの一対の係止部材に前記嵌入孔の周縁が着脱自在に係止される取付具と、前記取付具に対して着脱可能に取り付けられる配線ダクトレールとからなる配線ダクトレールの取付装置であって、前記取付具は、外周部の複数箇所に前記配線ダクトレールの取付用ネジが突設され、前記配線ダクトレールは、前記取付具の外周部に対して装着されるダクトレール本体を有し、前記ダクトレール本体の複数箇所に前記配線ダクトレールの取付用ネジを挿通する取付孔が設けられ、前記取付具の前記取付用ネジに螺合される取付ナットを備えたことを特徴とする配線ダクトレールの取付装置。
【請求項２】
前記配線ダクトレールは、前記ダクトレール本体の下部に取り付けられた長尺のダクトレール部を有し、前記ダクトレール部の両端部に天井面に対して当接する調整用ネジを設けたことを特徴とする請求項１に記載の配線ダクトレールの取付装置。
【発明の詳細な説明】
【技術分野】
【０００１】
本発明は、配線ダクトレールの取付装置に関する。
【背景技術】
【０００２】
天井に固着されたシーリングローゼットには、埋込型と露出型とがある。従来、配線ダクトレールを埋込型のシーリングローゼットに取り付ける場合では、埋込型のシーリングローゼットに設けてある取付金具のビス穴にネジ等を用いて配線ダクトレールを取り付けるための取付金具を固定し、該取付金具に化粧ネジ等によりダクトレール本体を取り付けていた。また、配線ダクトレールを露出型のシーリングローゼットに取り付ける場合では、ダクトレール本体を取り付けるための取付金具をシーリングを介在した状態で、木ネジ等により直接天井面に固定した後、取付金具に化粧ネジ等によりダクトレール本体を取り付けていた。
【発明の開示】
【発明が解決しようとする課題】
【０００３】
上述の取付方法であると、ドライバー等の工具が必要となり、しかも天井にタッピングネジで取り付けることは専門作業となり、一般家庭では取付作業は困難を要していた。
【０００４】
本発明の目的は、ドライバー等の工具を必要としないで簡単に取り付けることができ、天井面に対するダクトレール本体のガタツキや傾きを調整できる配線ダクトレールの取付装置を提供することにある。
【課題を解決するための手段】
【０００５】
請求項１に係る配線ダクトレールの取付装置は、天井に固着されたシーリングローゼットの下面に着脱自在に係止されるアダプタ本体の周面に径方向に出没自在に、かつ突出方向に付勢された一対の係止部材を備えたアダプタと、前記アダプタを嵌入する嵌入孔を有し、前記アダプタの一対の係止部材に前記嵌入孔の周縁が着脱自在に係止される取付具と、前記取付具に対して着脱可能に取り付けられる配線ダクトレールとからなるものであって、上記課題を解決するために、前記取付具は、外周部の複数箇所に前記配線ダクトレールの取付用ネジが突設され、前記配線ダクトレールは、前記取付具の外周部に対して装着されるダクトレール本体を有し、前記ダクトレール本体の複数箇所に前記配線ダクトレールの取付用ネジを挿通する取付孔が設けられ、前記取付具の前記取付用ネジに螺合される取付ナットを備えたことを特徴とする。
【０００６】
請求項２に係る配線ダクトレールの取付装置は、請求項１に係る配線ダクトレールの取付装置において、前記配線ダクトレールは、前記ダクトレール本体の下部に取り付けられた長尺のダクトレール部を有し、前記ダクトレール部の両端部に天井面に対して当接する調整用ネジを設けたことを特徴とするものである。
【０００７】
天井に固着されたシーリングローゼットの下面にアダプタを（栓刃嵌合により）係止する。取付具の嵌入孔にアダプタを嵌入させて取付具を押し上げる。すると、取付具の嵌入孔の周縁に押圧されてアダプタ本体の一対の係止部材が没入し、さらに、嵌入孔の周縁が係止部材を通過すると付勢により係止部材が再び突出し、一対の係止部材の上面に取付具の嵌合孔の周縁が支持される。これにより取付具がアダプタに対して取り付けられる。次に、取付具の取付用ネジにダクトレール本体の取付孔を合せて取付用ネジを取付孔に挿通する。取付用ネジの先端に取付ナットを螺合させることで締め付け固定し、取付具に対して配線ダクトレールが取り付けられる。ダクトレール部の両端部に設けられた調整用ネジを回し、天井面に対して調整用ネジの先端を当接させ、照明器具の重量配分によるダクトレール部の傾きを調整する。
【発明の効果】
【０００８】
請求項１に係る配線ダクトレールの取付装置によれば、ドライバー等の工具を必要としないで簡単に配線ダクトレールを取り付けることができる。また、請求項２に係る配線ダクトレールの取付装置によれば、天井面に対して調整用ネジの先端を当接させることで、照明器具の重量配分によるダクトレール部の傾きを調整することができる。
【発明を実施するための最良の形態】
【０００９】
以下、本発明の実施の形態を図面を参照して説明する。図１は、本発明の実施形態に係る配線ダクトレール取付装置の分解斜視図である。配線ダクトレール取付装置１は、天井に固着されたシーリングローゼット２の下面に着脱自在に係止されるアダプタ３と、アダプタ３に対し着脱自在に支持される取付具４と、取付具４に対して着脱可能に取り付けられる配線ダクトレール５とからなる。
【００１０】
シーリングローゼット２は、従来公知のもので、図１の右側に符号２ａで示す埋込型のもの、図１の中央に符号２ｂで示す露出型のもの、図１の左側に符号２ｃで示す高荷重用、ツバ付きで露出型のものの３タイプがある。なお、埋込型シーリングローゼットの高さは規格値が１１ｍｍであり、露出型シーリングローゼットの高さは規格値が２２ｍｍである。本発明の配線ダクトレール取付装置１は、これら３つのタイプのシーリングローゼット２に対して取り付けることができる。
【００１１】
シーリングローゼット２の下面には、一対の円弧状の栓刃挿入口６，６が設けられている。栓刃挿入口６は、一端側に形成された幅広部と他端側に形成された幅狭部とを有し、幅狭部の奥部には屋内配線と接続された図示しない端子が配設されている。
【００１２】
図２は、アダプタ３に対する取付具４の取り付けを示す斜視図である。アダプタ３は、例えば、特開平１１−２５７４０号公報或いは特開２０００−３０５２３号公報に開示されているものと同様の公知のもので、円筒形状のアダプタ本体７の上面にシーリングローゼット２の栓刃挿入口６，６に挿抜自在に差し込まれる一対の栓刃８，８（一方のみ図示）が突設されている。また、アダプタ本体７の外周面両側には上下２段の係止爪９，１０が径方向に出没自在に設けられると共に、かつ突出方向（径方向外方）に付勢されている。また、上下２段の係止爪９，１０は、図示していない各係止部材の先端部に形成されているものであり、各係止部材は、アダプタ本体７に内蔵された付勢スプリング（図示せず）によってアダプタ本体７の外周面から外方に向けて突出する方向に付勢されている。さらに、上下２段の係止爪９，１０の各々は、下から押圧された時に係止爪９，１０がアダプタ本体７内へ没入するように、即ち、上に行くほど外方へ向かうように傾斜したテーパ面１１，１２が形成されており、常態においてこのテーパ面１１，１２がアダプタ本体７の外周面から突出するようになっている。また、上下２段の係止爪９，１０は、上面が平坦とされている。
【００１３】
前記各係止部材の下面には解除レバー１３，１３がそれぞれ一体に設けられると共に、これらの解除レバー１３，１３の下部がアダプタ本体７の下面に露出している。従って、解除レバー１３，１３を外周方向へ移動させると、係止爪９，１０はアダプタ本体７の内部へ没入する。また、アダプタ本体７の下面には、例えば、特開２００２−１４０９２２号公報に開示されているように、各係止部材に係合して上下２段の係止爪の没入を規制するロック位置と、各係止部材から離脱して上下２段の係止爪の没入を可能とするロック解除位置との間をスライド移動可能とされたロック操作部材１４が設けられている。さらに、アダプタ本体７の下面には、コネクタ１５と、アーチ形状のイヤリング加工による掛止部１６が設けられている。前記コネクタ１５は一対の栓刃８，８と電気的に接続されている。即ち、栓刃８，８をシーリングローゼット２の栓刃挿入口６，６へ挿入して、栓刃８，８とシーリングローゼット２の端子とを接続すると、コネクタ１５が屋内配線と電気的に接続されるようになっている。
【００１４】
さらに、図示されていないが、アダプタ３の上面には、ロック爪が出没自在に、且つ、突出方向へ付勢されて設けられる。前記ロック爪は、アダプタ３が適正位置にあるとき突出してシーリングローゼット２と係合し、アダプタ３が回転しないようになっている。そして、アダプタ本体７の側面に設けられたロック解除ボタン１７を押し込んで、ロック爪を没入させると、アダプタ３を栓刃の引き抜き方向へ回転させることができる。
【００１５】
図３は、埋込型シーリングローゼットに対して取り付けたアダプタ３及び取付具４の側面図である。また、図４は、露出型シーリングローゼットに対して取り付けたアダプタ及び取付具４の側面図である。取付具４は、図２及び図３に示すように、上方に開放された円板状をなす覆い部１８と、覆い部１８の外周を取り巻く水平なフランジ部１９とを一体に備える（図１、図２参照）。覆い部１８の中央には円筒状のアダプタ３を嵌入するための嵌入孔２０が設けられている。なお、嵌入孔２０の上面側の周縁にはカーリング部２１が全周に亘って設けられている（図３参照）。
【００１６】
取付具４のフランジ部１９の背面には、クッション材２２がフランジ部１９の全周に亘って設けられている。また、フランジ部１９の下面の複数箇所には（本実施形態では中心から１２０度の間隔を開けて３箇所、そのうちの１つは図示せず）、天井面に対して当接する調整用ネジ２３が配設されている。なお、調整用ネジ２３はクッション材２２を貫通して設けられている（図９参照）。さらに、フランジ部１９の下面の複数箇所には（本実施形態では前記調整用ネジ２３の配設位置に対して中心から６０度ずれた位置であって、１２０度の間隔を開けて３箇所、そのうちの１つは図示せず）、配線ダクトレール５の取付用ネジ２４が突設されている。
【００１７】
配線ダクトレール５は、取付具４のフランジ部１９に対して装着されるダクトレール本体２５と、ダクトレール本体２５の下部に取り付けられ、配線がめぐらされた長尺のダクトレール部２６を備えている。取付具４のフランジ部１９の下側に重合されるダクトレール本体２５の外周部の複数箇所には、取付具４に突設された取付用ネジ２４を挿通する取付孔２７が設けられている。また、配線ダクトレール５は、取付具４の取付用ネジ２４に螺合される取付ナット２８を備えている。なお、取付ナット２８は、美観のため化粧ナットを使用している。
【００１８】
ダクトレール本体２５から上方に、配線ダクトレール５の給電部（図示せず）と配線接続された接続コード２９が延出され、接続コード２９の先端にコネクタ３０が装着されている（図６参照）。さらに、図示されていないがダクトレール本体２５の上面には仮吊り固定用の紐３１の一端が固定されており、紐３１の先端にはフック３２が装着されている（図６参照）。また、配線ダクトレール５は、ダクトレール部２６の両端寄りの上面に天井面３４に対して当接する調整用ネジ３３をそれぞれ備えている。
【００１９】
以上のように構成された配線ダクトレール取付装置１は次のように取り付けられる。図３に示すように、埋込型シーリングローゼット２ａに対して取り付けるときは、先ず、アダプタ３の栓刃８を埋込型シーリングローゼット２ａの栓刃挿入口６に差し込んで、アダプタ３を埋込型シーリングロゼット２ａに取り付ける。次に、取付具４の嵌入孔２０にアダプタ３を一致させて取付具４を押し上げると（図２参照）、アダプタ３が取付具４の嵌入孔２０に嵌入され、アダプタ３の下段の係止爪１０のテーパ面１２に取付具４の嵌入孔２０の周縁が当接する。
【００２０】
取付具４をさらに上昇させると、下段の係止爪１０に形成されたテーパ面１２が嵌入孔２０の周縁で下から押圧され、この結果、下段の係止爪１０および上段の係止爪９が一緒にアダプタ本体７の内部に没入する。さらに取付具４を押し上げると、取付具４のフランジ部１９の背面のクッション材２２が天井面に適度に圧接されると共に、嵌入孔２０の周縁が下段の係止爪１０を通過すると、付勢スプリングの付勢力によって下段の係止爪１０および上段の係止爪９が再度突出し、下段の係止爪１０の上面に嵌入孔２０の周縁が支持され、この結果、取付具４がアダプタ３に取り付けられる。埋込型シーリングローゼットの高さは規格値が１１ｍｍであるので、アダプタ３の下段の係止爪１０に取付具４の嵌入孔２０の周縁が係止されることになる（図３参照）。
【００２１】
図４に示す露出型シーリングローゼット２ｂに対して取り付けるときも同様に、先ず、アダプタ３の栓刃８を露出型シーリングローゼット２ｂの栓刃挿入口６に差し込んで、アダプタ３を露出型シーリングロゼット２ｂに取り付ける。次に、先に説明したようにして、アダプタ３を取付具４の嵌入孔２０に一致させて取付具４を押し上げて取付具４の嵌入孔２０の周縁を一時的にアダプタ３の下段の係止爪１０に係止させる。
【００２２】
そして、再度、取付具４を押し上げると、アダプタ３の上段の係止爪９のテーパ面１１に取付具４の嵌入孔２０の周縁が当接する。取付具４をさらに上昇させると、上段の係止爪９に形成されたテーパ面１１が嵌入孔２０の周縁で下から押圧され、この結果、上段の係止爪９および下段の係止爪１０が一緒にアダプタ本体７の内部に没入する。さらに取付具４を押し上げると、取付具４のフランジ部１９の背面のクッション材２２が天井面に適度に圧接されると共に、嵌入孔２０の周縁が上段の係止爪９を通過すると、付勢スプリングの付勢力によって上段の係止爪９および下段の係止爪１０が再度突出し、上段の係止爪９の上面に嵌入孔２０の周縁が支持され、この結果、取付具４がアダプタ３に取り付けられる。露出型シーリングローゼットの高さは規格値が２２ｍｍであるので、アダプタ３の上段の係止爪９に取付具４の嵌入孔２０の周縁が係止されることになる（図４参照）。
【００２３】
アダプタ３の係止爪９，１０が没入しないようにロックするため、ロック操作部材１４をロック位置にスライドする。また、天井面は必ずしも均一な平面ではないため、取付具４のフランジ部１９の複数箇所に設けられた調整用ネジ２３を、ネジ先端が天井面に軽く当接するまで回して取付具４のガタツキを解消する（図５参照）。
【００２４】
次に、配線ダクトレール５を取付具４に対して取り付ける。配線ダクトレール５の取付具４への取り付けは、まず、ダクトレール本体２５に具備する仮吊り固定用の紐３１の先端のフック３２をアダプタ３の下面に設けられている掛止部１６に引っ掛けて配線ダクトレール５を仮吊り固定する。これにより、取付作業中に配線ダクトレール５が不測に落下することを防止する（図６参照）。次に、アダプタ３のコネクタ１５に配線ダクトレール本体２５のコネクタ３０を差し込んで電源接続する。次いで、取付具４のフランジ部１９の複数箇所に突設されている取付用ネジ２４にダクトレール本体２５の複数の取付孔２７を合せて取付用ネジ２４を取付孔２７に挿通する。ダクトレール本体２５の下側から取付用ネジ２４の先端に取付ナット２８を螺合させることで締め付け固定する（図７参照）。これにより、取付具４に対して配線ダクトレール５が取り付けられる。なお、ダクトレール本体２５によってアダプタ３及び取付具４が下側から覆われて完全に隠れる（図８参照）。ダクトレール部２６の両端部に設けられた調整用ネジ３３，３３を回し、天井面３４に対して調整用ネジ３３の先端を当接させ、照明器具の重量配分によるダクトレール部２６の傾きを調整する（図８参照）。
【００２５】
以上に説明したように、配線ダクトレール取付装置１によれば、ドライバー等の工具を必要としないで簡単に配線ダクトレール５を取り付けることができる。また、天井面３４に対して調整用ネジ３３の先端を当接させることで、照明器具の重量配分によるダクトレール部２６の傾きを調整することができる。
【図面の簡単な説明】
【００２６】
【図１】本発明の実施形態に係る配線ダクトレール取付装置の分解斜視図である。
【図２】アダプタに対する取付具の取り付けを示す斜視図である。
【図３】埋込型シーリングローゼットに対して取り付けたアダプタ及び取付具の側面図である。
【図４】露出型シーリングローゼットに対して取り付けたアダプタ及び取付具の側面図である。
【図５】アダプタに取付具を取り付た状態を示す斜視図である。
【図６】取付具に対する配線ダクトレールの取り付けを示す斜視図である。
【図７】取付具に対する配線ダクトレールの取り付けを示す別の斜視図である。
【図８】取付具に対して配線ダクトレールを取り付けた状態を示す斜視図である。
【図９】天井面に対して当接する取付具の調整用ネジを示す断面図である。
【符号の説明】
【００２７】
１  配線ダクトレール取付装置
２  シーリングローゼット
３  アダプタ
４  取付具
５  配線ダクトレール
６  栓刃挿入口
７  アダプタ本体
８  栓刃
９  （上段）係止爪
１０  （下段）係止爪
１１  テーパ面
１２  テーパ面
１３  解除レバー
１４  ロック操作部材
１５  コネクタ
１６  掛止部
１７  ロック解除ボタン
１８  覆い部
１９  フランジ部
２０  嵌入孔
２１  カーリング部
２２  クッション材
２３  調整用ネジ
２４  取付用ネジ
２５  ダクトレール本体
２６  ダクトレール部
２７  取付孔
２８  取付ナット
２９  接続コード
３０  コネクタ
３１  紐
３２  フック
３３  調整用ネジ
３４  天井面
【図１】
2006004775.tif 000003
【図２】
2006004775.tif 000004
【図３】
2006004775.tif 000005
【図４】
2006004775.tif 000006
【図５】
2006004775.tif 000007
【図６】
2006004775.tif 000008
【図７】
2006004775.tif 000009
【図８】
2006004775.tif 000010
【図９】
2006004775.tif 000011